(57)【要約】【課題】各電池セルを拘束する機能を有し、流通抵抗を抑制して電池セルの冷却性能の向上が図れる電池パックを提供する。【解決手段】電池パック１は、積層方向Ｘに対向する電池セルの側面２ａ，２ｂに間隔をあけて並んで設けられる複数の板状突部２３，２４，２５を備える。複数の板状突部２３，２４，２５は、対向する電池セル２の外装ケースに接触して、電池セルの側面間に流体通路１０を形成する。複数の板状突部２３，２４，２５は、電池セルの側面２ａ，２ｂに、冷却流体の流れ方向Ｆ及び当該流れ方向Ｆに直交する方向Ｙのそれぞれについて所定の間隔をあけて並んで設けられている。さらに、当該直交する方向Ｙに複数の列が並ぶように位置する板状突部２３，２４，２５のそれぞれは、当該直交する方向Ｙに隣り合う列同士が流れ方向Ｆにずれるように配置されている。【選択図】図１
2012015071.tif 000002
【特許請求の範囲】
【請求項１】
積層した複数の電池セル（２）を一体に保持して構成され、隣接する前記電池セル間に形成される流体通路（１０）に冷却流体が流通して前記各電池セルを冷却する電池パック（１）において、
積層方向（Ｘ）に対向する電池セルの側面（２ａ，２ｂ）に間隔をあけて並んで設けられる複数の板状突部（２３，２４，２５）を備え、
前記複数の板状突部は、前記対向する電池セルの外装ケース、または隣接する電池セルの前記板状突部に接触して、前記対向する電池セルの側面間に前記流体通路を形成するとともに、
前記複数の板状突部は、前記積層方向（Ｘ）に対向する電池セルの側面に、前記冷却流体の流れ方向（Ｆ）及び当該冷却流体の流れ方向（Ｆ）に直交する方向（Ｙ）のそれぞれについて所定の間隔をあけて並んで設けられており、
さらに、前記冷却流体の流れ方向（Ｆ）に直交する方向（Ｙ）に複数の列が並ぶように位置する前記板状突部（２３，２４，２５）のそれぞれは、当該直交する方向（Ｙ）に隣り合う列同士が前記冷却流体の流れ方向（Ｆ）にずれるように配置されていることを特徴とする電池パック。
【請求項２】
前記冷却流体の流れ方向（Ｆ）に並ぶ前記板状突部（２３）は、前記板状突部の長さの２個分に相当する間隔をあけて前記冷却流体の流れ方向（Ｆ）に並んでいることを特徴とする請求項１に記載の電池パック。
【請求項３】
前記流れ方向（Ｆ）に直交する方向（Ｙ）に並ぶ前記複数の列のうち、所定数の列をなす前記板状突部（３３１，３３２，３３３）が第１の列群（３３）を構成し、
前記電池セルの側面のうち、一方の側面（３ａ）には、複数の前記第１の列群（３３）が前記流れ方向（Ｆ）に直交する方向（Ｙ）に所定の群間隔をあけて設けられており、
前記電池セルの側面のうち、他方の側面（３ｂ）には、前記流れ方向（Ｆ）に直交する方向（Ｙ）に並ぶ前記複数の列のうち、前記所定数の列をなす前記板状突部（３４１，３４２，３４３）が第２の列群（３４）を構成するように設けられており、
前記他方の側面（３ｂ）において、前記第２の列群（３４）が前記第１の列群（３３）間に対応する位置に配置され、複数の前記第２の列群（３４）は前記流れ方向（Ｆ）に直交する方向（Ｙ）に前記所定の群間隔をあけて設けられていることを特徴とする請求項１または請求項２に記載の電池パック。
【請求項４】
前記所定数の列は３列であることを特徴とする請求項３に記載の電池パック。
【請求項５】
前記流れ方向（Ｆ）に直交する方向（Ｙ）に並ぶ前記複数の列（４３１，４３２，４３３）のうち、少なくとも１列（４３２）は、前記隣接する電池セル側と当接し合って前記流体通路を形成するように構成され、
当該少なくとも１列を構成する突部は、前記隣接する電池セル側と当接しない残余の前記板状突部（４３１，４３３）よりも板厚が厚い拡大突部（４３２）であることを特徴とする請求項１から請求項４のいずれか一項に記載の電池パック。
【請求項６】
前記電池セルの側面（２ａ，２ｂ）に前記流れ方向（Ｆ）に直交する方向（Ｙ）に前記複数の列を形成するように間隔をあけて突出し、前記隣接する電池セル側と接触して当該電池セル側からの作用力を受ける複数の拡大突部（５０）を有し、
前記間隔をあけて設けられた拡大突部（５０）間には、前記複数個の板状突部（５３,５４，５５）が並んで配置されており、
前記各拡大突部（５０）は、前記流れ方向（Ｆ）に直交する方向（Ｙ）についての外形寸法が前記板状突部（５３，５４，５５）の板厚寸法よりも大きく形成されていることを特徴とする請求項１から請求項５のいずれか一項に記載の電池パック。
【請求項７】
前記電池セルの外装ケース及び前記複数の板状突部は導電性材料で形成されており、
前記複数の板状突部における前記隣接する電池セル側との接触部位及び前記隣接する電池セル側における前記複数の板状突部との接触部位の少なくとも一方は、絶縁性物質で被覆されていることを特徴とする請求項１から請求項６のいずれか一項に記載の電池パック。
【発明の詳細な説明】
【技術分野】
【０００１】
本発明は、積層した複数個の電池セルの集合体である電池パックに関する。
【背景技術】
【０００２】
従来技術の電池パックにおいては、電気的に直列接続されるとともに積層配置された扁平状の電池セルの対向面に複数の凸部が形成され、当該複数の凸部は冷却媒体の流れ方向に平行に延伸する壁部を形成する。隣接する電池セルの互いに対向する凸部同士が当接し、これら凸部を除く部分の電池セル間に冷却媒体の通路を形成している。
【先行技術文献】
【特許文献】
【０００３】
【特許文献１】特開２００１−２８３９３７号公報
【発明の概要】
【発明が解決しようとする課題】
【０００４】
しかしながら、上記従来技術においては、電池セルの対向面に形成された複数の凸部は電池パックを構成する各電池セルに荷重される拘束力に対して耐えうる寸法に設定されるため、電池セルの冷却性能の観点で十分な機能を果たすことができない。また、冷却媒体の流通抵抗が大きくなってしまう。このような理由から冷却媒体を過大に流すことが必要になり、冷却媒体を流す流体機器の動力が過大になったり、騒音が大きくなったりするなどの問題がある。
【０００５】
そこで、本発明は上記問題点に鑑みてなされたものであり、その目的は、各電池セルを拘束する機能を有し、流通抵抗を抑制して電池セルの冷却性能の向上を図ることができる電池パックを提供することである。
【課題を解決するための手段】
【０００６】
本発明は上記目的を達成するために以下の技術的手段を採用する。すなわち、請求項１の発明は、積層した複数の電池セル（２）を一体に保持して構成され、隣接する電池セル間に形成される流体通路（１０）に冷却流体が流通して各電池セルを冷却する電池パック（１）において、
積層方向（Ｘ）に対向する電池セルの側面（２ａ，２ｂ）に間隔をあけて並んで設けられる複数の板状突部（２３，２４，２５）を備え、
複数の板状突部は、対向する電池セルの外装ケース、または隣接する電池セルの板状突部に接触して、対向する電池セルの側面間に流体通路を形成するとともに、
複数の板状突部は、積層方向（Ｘ）に対向する電池セルの側面に、冷却流体の流れ方向（Ｆ）及び当該冷却流体の流れ方向（Ｆ）に直交する方向（Ｙ）のそれぞれについて所定の間隔をあけて並んで設けられており、
さらに、冷却流体の流れ方向（Ｆ）に直交する方向（Ｙ）に複数の列が並ぶように位置する前記板状突部（２３，２４，２５）のそれぞれは、当該直交する方向（Ｙ）に隣り合う列同士が冷却流体の流れ方向（Ｆ）にずれるように配置されていることを特徴とする。
【０００７】
この発明によれば、複数の板状突部は冷却流体の流れ方向及び当該冷却流体の流れ方向に直交する方向のそれぞれについて所定の間隔をあけて並び、さらに当該直交する方向に複数の列が並ぶように位置する各板状突部は、当該直交する方向に隣り合う列同士が冷却流体の流れ方向にずれるように配置されている。この構成により、各板状突部の後流側には板状突部が存在していない通路領域が形成される。このような通路領域により、電池セル間の流体通路では例えば蛇行するような流れを形成することが可能であり、電池セル壁面および板状突部の壁面での冷却流体流れの境界層の拡大抑制や各板状突部の後流側での熱伝達向上の効果が図れ、電池セルの冷却性能を向上させることができる。また、このような複数の板状突部の配置によって、より少ない冷却媒体の流量で、より小さな流体機器の動力で、またより低い騒音で、必要な冷却性能を発揮することができる。
【０００８】
請求項２は、請求項１の発明において、冷却流体の流れ方向（Ｆ）に並ぶ板状突部（２３）は、板状突部の長さの２個分に相当する間隔をあけて冷却流体の流れ方向（Ｆ）に並んでいることを特徴とする。この発明によれば、板状突部は冷却流体の流れ方向に板状突部長さの２個分に相当する間隔をあけて設けられているため、各板状突部の後流側には板状突部が存在しない領域を十分に確保することができる。したがって、冷却流体流れの境界層の拡大抑制や各板状突部の後流側での熱伝達向上の効果がさらに期待でき、電池セルの冷却性能を高めることができる。
【０００９】
請求項３によると、請求項１または請求項２において、流れ方向（Ｆ）に直交する方向（Ｙ）に並ぶ複数の列のうち、所定数の列をなす板状突部（３３１，３３２，３３３）が第１の列群（３３）を構成し、
電池セルの側面のうち、一方の側面（３ａ）には、複数の第１の列群（３３）が当該流れ方向（Ｆ）に直交する方向（Ｙ）に所定の群間隔をあけて設けられており、
電池セルの側面のうち、他方の側面（３ｂ）には、当該流れ方向（Ｆ）に直交する方向（Ｙ）に並ぶ複数の列のうち、所定数の列をなす板状突部（３４１，３４２，３４３）が第２の列群（３４）を構成するように設けられており、
他方の側面（３ｂ）において、当該第２の列群（３４）が第１の列群（３３）間に対応する位置に配置され、複数の第２の列群（３４）は当該流れ方向（Ｆ）に直交する方向（Ｙ）に所定の群間隔をあけて設けられていることを特徴とする。
【００１０】
この発明によれば、複数の電池セルを積層方向に積み重ねて組み合わせたときに、電池セルの一方の側面における第１の列群の間の領域に隣接する電池セルにおける第１の列群が当接し、電池セルの他方の側面における第２の列群の間の領域に隣接する電池セルにおける第２の列群が当接するようになる。このような第１の列群及び第２の列群の配置により、各電池セルにおける板状突部の位置が高精度で製作されていない場合であっても、各板状突部による冷却性能及び拘束力の確保が図れ、所望の機能を発揮し得る電池パックを提供できる。
【００１１】
請求項４によると、請求項３の所定数の列は３列であることが好ましい。この発明によれば、流通抵抗の小さい流体通路を形成でき、優れた冷却性能を実現できる。
【００１２】
請求項５は、請求項１から請求項４のいずれか一項の発明において、当該流れ方向（Ｆ）に直交する方向（Ｙ）に並ぶ複数の列（４３１，４３２，４３３）のうち、少なくとも１列（４３２）は、隣接する電池セル側と当接し合って流体通路を形成するように構成され、
当該少なくとも１列を構成する突部は、隣接する電池セル側と当接しない残余の板状突部（４３１，４３３）よりも板厚が厚い拡大突部（４３２）であることを特徴とする。
【００１３】
この発明によれば、板状突部よりも大きな厚みを有する複数の拡大突部が電池セルの側面に必要な数だけ分散して配置されるため、電池セルに必要な拘束を加える機能を安定的に果たすことができる。拡大突部が拘束力確保を担うため、複数の板状突部については冷却機能を果たす伝熱面積を大きくすることができ、電池セルの冷却性能を高めることができる。複数の板状突部は冷却性能を十分発揮できる範囲で可能な限り薄くできるため、流体通路の断面積をほとんど小さくすることなく、伝熱面積を拡大することができるので、より少ない冷却媒体の流量で、より小さな流体機器の動力で、またより低い騒音で、必要な冷却性能を発揮することができる。したがって、電池セルの冷却性能の向上と電池セルに与える拘束強度の確保のさらなる両立が図れる電池パックを提供できる。
【００１４】
請求項６は、請求項１から請求項５のいずれか一項において、電池セルの側面（２ａ，２ｂ）に当該流れ方向（Ｆ）に直交する方向（Ｙ）に複数の列を形成するように間隔をあけて突出し、隣接する電池セル側と接触して電池セル側からの作用力を受ける複数の拡大突部（５０）を有し、
間隔をあけて設けられた拡大突部（５０）間には、複数個の板状突部（５３,５４，５５）が並んで配置されており、各拡大突部（５０）は、当該流れ方向（Ｆ）に直交する方向（Ｙ）についての外形寸法が板状突部（５３，５４，５５）の板厚寸法よりも大きく形成されていることを特徴とする。
【００１５】
この発明によれば、上記各発明の作用効果に加え、必要な厚み寸法を有する複数の拡大突部が電池セルの側面に必要間隔で分散して配置されているため、電池セルに必要な拘束を加える機能を安定的に果たすことができる。したがって、電池セルの冷却性能の向上と電池セルに与える拘束強度の確保の両立を図る電池パックが得られる。
【００１６】
請求項７は、請求項１から請求項６のいずれか一項に記載の発明において、電池セルの外装ケース及び複数の板状突部は導電性材料で形成されており、複数の板状突部における隣接する電池セル側との接触部位及び隣接する電池セル側における複数の板状突部との接触部位の少なくとも一方は、絶縁性物質で被覆されていることを特徴とする。
【００１７】
この発明によれば、隣接する電池セル間で接触する部分同士が絶縁性物質の被覆部分を介して接触するようになるため、電池セル間の電気絶縁性が確保される。したがって、電池性能の発揮及び電気的安全性の確保が図れるのである。また、隣接する電池セル間の電位差により、導電性材料が腐食する事態を抑制できる。
【００１８】
上記各手段の括弧内の符号は、後述する実施形態に記載の具体的手段との対応関係を示す一例である。
【図面の簡単な説明】
【００１９】
【図１】本発明を適用した第１実施形態の電池パックにおける電池セルの積層構造を説明するために、隣接する電池セルを電極端子の突出側から見たときの平面図である。
【図２】図１の電池セルをＩＩ方向に見たときの正面図である。
【図３】本発明を適用した第２実施形態の電池パックにおける電池セルの積層構造を説明するために、隣接する電池セルを電極端子の突出側から見たときの平面図である。
【図４】図３の電池セルをＶＩ方向に見たときの正面図である。
【図５】本発明を適用した第３実施形態の電池パックにおける電池セルの積層構造を説明するために、隣接する電池セルを電極端子の突出側から見たときの平面図である。
【図６】図５の電池セルをＶＩ方向に見たときの正面図である。
【図７】本発明を適用した第４実施形態の電池パックにおける電池セルの積層構造を説明するために、隣接する電池セルを電極端子の突出側から見たときの平面図である。
【図８】図７の電池セルをＶＩＩＩ方向に見たときの正面図である。
【発明を実施するための形態】
【００２０】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合わせることも可能である。
【００２１】
（第１実施形態）
本発明に係る電池パックは、例えば内燃機関と電池に充電された電力によって駆動されるモータとを組み合わせて走行駆動源とするハイブリッド自動車、モータを走行駆動源とする電気自動車等に用いられる。電池パックを構成する電池は、例えばニッケル水素二次電池、リチウムイオン二次電池、有機ラジカル電池であり、筐体内に収納された状態で自動車の座席下、後部座席とトランクルームとの間の空間、運転席と助手席の間の空間などに配置される。
【００２２】
本発明の一実施形態である第１実施形態について図１及び図２を用いて説明する。図１は、第１実施形態の電池パック１における電池セルの積層構造を説明するために、隣接する３個の電池セル２，２Ａを電極端子の突出側から見たときの平面図である。図２は、図１の電池セル２をＩＩ方向に見たときの正面図である。なお、図１では、多数個の電池セル２，２Ａが積層されて電池パック１を構成するところを、理解を容易にするため、３個の電池セル２，２Ａのみを図示している。各図において、電池セル２，２Ａが複数個積層されて並ぶ方向を積層方向Ｘとし、直方体状の各電池セルの対向する側面に沿う方向で電極端子が突出する方向を冷却流体の流れ方向Ｆとし、積層方向Ｘと冷却流体の流れ方向Ｆの両方に直交する方向Ｙ（以下、単に方向Ｙともいう）を複数の板状突部の並ぶ方向とする。
【００２３】
複数個の電池セル２，２Ａの集合体である電池パック１は、複数個の電池セル２，２Ａの充電および放電または温度調節に用いられる電子部品（図示せず）によって制御され、図示しない送風部材による送風を受けて各電池セルが冷却される。電池パック１は、電気的に直列接続された複数個の電池セル２，２Ａをその側面を対向させるように並べて積層され、これらを一体化して構成されたものであり、図示しない筐体内に収納されている。上記の電子部品は、リレー、送風部材を駆動するモータ、インバータ等を制御する電子部品、各種の電子式制御装置等である。
【００２４】
当該筐体は、メンテナンスのために少なくとも一面を取り外し可能に構成された直方体状のケースであり、樹脂または鋼板等で形成されている。筐体には、車両側に筐体をボルト締め等により固定するための取付部、および機器収納ボックス（図示せず）が設けられている。
【００２５】
当該機器ボックスには、電池状態（例えば電圧、温度等）を監視する各種センサ等からの検出結果が入力される電池監視ユニット（図示せず）と、電池監視ユニットと通信可能に構成されリレーを制御するとともに、送風部材のモータの駆動を制御する制御装置と、各機器を接続するワイヤハーネス等と、が収納されている。電池監視ユニットは、各電池セル２の状態を監視する電池ＥＣＵ（電池の電子式制御ユニット）であり、電池パック１と多数の配線にて接続されている。
【００２６】
電池パック１は、積層方向Ｘに直交する電池セルの側面２ａ，２ｂ（方向Ｙ及び方向Ｆに平行な側面）が拘束装置（図示せず）によって押圧されることにより、積層された複数の角形状の電池セル２，２Ａが一体に保持して形成される電池セル集合体である。電池パック１を構成する複数の電池セル２，２Ａは、電池パック１の積層方向Ｘの両端部に設置された拘束板（図示せず）がロッド（図示せず）等によって連結されることにより、当該両端部から内側に向かう外力による圧縮力を受けて、拘束されることになる。例えば、複数の電池セル２，２Ａは、４本の棒状のロッドによって圧縮力を受けて一体に固定されている。ロッドは、積層された複数の電池セル２，２Ａを安定した力で押圧して一体化できるように、金属、硬質の樹脂等の強度に優れた材料で形成されている。
【００２７】
次に、電池パック１を構成する各電池セル２，２Ａについて説明する。各電池セル２，２Ａは、外装ケースによってその外周面を被覆された扁平状直方体である。各電池セル２，２Ａには、正極端子２１および負極端子２２からなる二つの電極端子が方向Ｙに離れて配置されており、この電極端子は外装ケースから冷却流体の流れ方向Ｆに突出するように露出している。
【００２８】
このように筐体内全体に配されたすべての電池セル２，２Ａは、電池パック１の積層方向Ｘの一方端部側に位置する電池セルにおける負極端子２２から始まって、各電池セル２，２Ａの電極端子間を接続する各バスバー（図示せず）によって、電池パック１内を方向Ｙに往復しながら電池パック１の積層方向Ｘの他方端部側に位置する電池セルの正極端子２１に至るまで通電可能に直列接続されている。このようにして積層方向Ｘに隣接する電池セル２と２Ａ間は電気的に接続されることになる。換言すれば、電池パック１を構成するすべての電池セル２，２Ａは、積層方向Ｘの一方側端部に位置する電池セルの電極端子から積層方向Ｘの他方側端部に位置する電池セルの電極端子に至るまで、電流がジグザク状または蛇行状に流れるようにバスバーを介して電気的に直列接続される。
【００２９】
図１及び図２に示すように、電池セル２には、その側面２ａに冷却流体の流れ方向Ｆに間隔をあけてそれぞれ設けられる複数の板状突部２３、複数の板状突部２４、及び複数の板状突部２５が突出しているが、側面２ｂには板状突部は設けられていない。複数の板状突部２３，２４，２５は、冷却流体の流れ方向Ｆに直交する方向Ｙに所定の間隔をあけて並んでいる。さらに複数の板状突部２３，２４，２５は、冷却流体の流れ方向Ｆに直交する方向Ｙに所定の間隔をあけて並んでいる。電池セル２Ａには、その側面２ｂに冷却流体の流れ方向Ｆに間隔をあけてそれぞれ設けられる複数の板状突部２３、複数の板状突部２４、及び複数の板状突部２５が突出しているが、側面２ａには板状突部は設けられていない。このように電池セル２と電池セル２Ａは、異なる片方の側面のみに板状突部が設けられている別の構成を有するセルである。
【００３０】
電池セル２及び電池セル２Ａが備える複数個の板状突部２３，２４，２５の詳細について、代表して図２に示す電池セル２を参照して説明する。
【００３１】
図２に示すように、電池セル２は、板状突部２３，２４，２５のそれぞれが冷却流体の流れ方向Ｆに複数個点在して並ぶことにより、列をなしている。板状突部２３，２４，２５は、その板厚方向が冷却流体の流れ方向Ｆに直交する方向Ｙに一致するように配されている。一方の電池セルの側面２ａから突出する複数の板状突部２３，２４，２５は、冷却流体の流れ方向Ｆについて所定の間隔をあけて並んで設けられている。当該所定の間隔は、板状突部２３，２４，２５の方向Ｆの長さ（寸法ＰＦ）の略２個分に相当する。例えば、図２に示す形態では、当該所定の間隔は、２個分、つまり寸法２ＰＦに設定されている。
【００３２】
また、電池セルの側面２ａから突出する複数の板状突部２３，２４，２５は、当該冷却流体の流れ方向Ｆに直交する方向Ｙについて所定の間隔（寸法ＰＹ）をあけて並んで設けられている。
【００３３】
さらに、冷却流体の流れ方向Ｆに直交する方向Ｙに複数の列が並ぶように配置されている板状突部２３，２４，２５のそれぞれは、当該直交する方向Ｙに隣り合う列同士が冷却流体の流れ方向Ｆにずれて配置されている。当該複数の列は、冷却流体の流れ方向Ｆに沿ってそれぞれ並ぶ複数の板状突部２３（第１の列）、複数の板状突部２４（第２の列）、複数の板状突部２５（第３の列）によって構成されている。言い換えれば、当該第１の列、第２の列、及び第３の列を一組とした列群が、電池セルの側面２ａにおいて当該直交する方向Ｙに並んでいる。この構成により、電池セルの側面２ａ間には、複数の板状突部２３，２４，２５によって、冷却流体の流れ方向Ｙに蛇行する流体通路１０が形成されるのである。
【００３４】
さらに、冷却流体の流れ方向Ｆに列をなす板状突部２３は、電池セルの側面２ａにおいて、板状突部２３〜２５の中で最も電極端子（正極端子２１及び負極端子２２）寄り（電池セルの側面２ａの端部寄り）に位置する板状突部であり、最も電極端子から遠い位置にあるのは板状突部２５である。このように、各板状突部２３，２４，２５は、電池セル２の側面２ａにおいてオフセット状に配列され、電池セル２Ａの側面２ｂにおいてオフセット状に配列されるのである。
【００３５】
複数の電池セル２が積層されて電池パック１が形成された場合に、すべての板状突部２３，２４，２５が当該隣接する電池セル２Ａと当接し合って、電池セルの側面２ａ間の流体通路１０を所定の形状に形成することになる。これにより、隣接する電池セル２と電池セル２Ａの間において、すべての板状突部２３，２４，２５は、各電池セル２，２Ａに作用する拘束力を電池セル間で受ける拘束用リブとして機能する。
【００３６】
本実施形態の各板状突部２３，２４，２５は、電池セル２，２Ａの外装ケースと一体に形成されており、例えば外装ケースが金属（アルミニウム）製のケースである場合に、当該金属を削り出し加工することにより当該外装ケースと一体に形成することができる。これによれば、部品点数の低減及び生産コストの低減が図れる。
【００３７】
また他の形態では、各板状突部２３，２４，２５は、電池セル２，２Ａの外装ケースとは別部品である別個のプレート部材に形成するようにしてもよい。この場合、当該プレート部材は削り出し加工等により作成された金属製のフィン付きプレートであり、当該プレート部材を電池セルの側面に固定することにより、電池セルの側面から突出する複数個の板状突部２３，２４，２５を構成できる。
【００３８】
また、電池セル２，２Ａの外装ケースと各板状突部２３，２４，２５とが導電性材料で形成されている場合には、互いに当接し合う板状突部と外装ケースのうちの少なくとも一方における接触部位には、絶縁性物質が被覆されていることが好ましい。当該部位における絶縁性物質の被覆は、蒸着、コーティング、一体成形等によって形成することができる。このような構成によれば、隣接する電池セル２と電池セル２Ａの間で接触する部位同士が絶縁性物質の被覆部分を介して接触するようになるため、電池セル間の電気絶縁性が確保され、電池性能の発揮及び電気的安全性の確保を図ることができる。また、隣接する電池セル間の電位差により、導電性材料部分が腐食する事態を抑制し得る。
【００３９】
本実施形態の電池パック１がもたらす作用効果について述べる。複数の板状突部２３，２４，２５は、対向する電池セル２，２Ａの外装ケースに接触して、電池セルの側面間に流体通路１０を形成する。複数の板状突部２３，２４，２５は、電池セルの側面２ａ，２ｂに、冷却流体の流れ方向Ｆに所定の間隔（寸法２ＰＦ）をあけて並び、当該流れ方向Ｆに直交する方向Ｙに所定の間隔（寸法ＰＹ）をあけて並んで設けられている。さらに、当該直交する方向Ｙに複数の列が並ぶように位置する板状突部２３，２４，２５のそれぞれは、当該直交する方向Ｙに隣り合う列同士が流れ方向Ｆにずれるように配置されている（ずれ幅はそれぞれ寸法ＰＦ）。
【００４０】
この構成により、板状突部２３，２４，２５の各列は、方向Ｙに隣り合う列同士が冷却流体の流れ方向Ｆにずれるように配置されることにより、各板状突部２３，２４，２５の後流側には板状突部が存在していない通路領域が形成される。このような通路領域により、電池セル間の流体通路１０では例えば蛇行するような流れを形成することが可能である。よって、電池セル壁面および板状突部の壁面での冷却流体流れの境界層の拡大抑制（あるいは冷却流体流れの境界層の薄形化）や各板状突部２３，２４，２５の後流側での熱伝達向上の効果が図れ、電池セル２，２Ａの冷却性能を向上させることができる。また、このような複数の板状突部２３，２４，２５の配置によって、より少ない冷却媒体の流量で、より小さな流体機器の動力で、またより低い騒音で、必要な冷却性能を発揮することができる。
【００４１】
また、電池セル２，２Ａの積層状態において各板状突部２３，２４，２５は、対向する電池セル２側に接触するため、電池セルの側面間に各電池セル２に対して拘束力を安定的に加えることができ、また流体通路１０を形成するため、冷却用の通路を形成することに寄与する。したがって、各電池セル２を拘束する機能と、流通抵抗を抑制による電池セル２の冷却性能の向上との両方が実現できるのである。
【００４２】
また、電池パック１によれば、複数の板状突部２３，２４，２５によって電池セルの側面２ａ，２ｂにおける冷却機能を果たす伝熱面積が大きくなるため、電池セル２の冷却性能を高めることができる。各板状突部は冷却性能を十分発揮できる範囲で可能な限り薄くできるので、流体通路１０の断面積をほとんど小さくすることなく、伝熱面積を拡大することができるため、より少ない冷却媒体の流量で、より小さな流体機器の動力で、またより低い騒音で、必要な冷却性能を発揮することができる。したがって、電池セル２の冷却性能の向上と電池セル２に与える拘束強度の確保の両立を図る電池パック１が得られる。
【００４３】
また、このような作用効果を奏することにより、電池寿命の向上、電池セル数の低減、電池パック１の小型化及び低コスト化が図れるのである。
【００４４】
また、板状突部２３〜２５のそれぞれは、板状突部の長さの２個分（あるいは略２個分）に相当する間隔をあけて冷却流体の流れ方向Ｆに並んでいる。この構成によれば、各板状突部２３〜２５は方向Ｆに相当程度の間隔で点在しているため、各板状突部２３〜２５の後流側には板状突部が存在しない領域を十分に確保することができる。したがって、冷却流体流れの境界層の拡大抑制（あるいは冷却流体流れの境界層の薄形化）や各板状突部の後流側での熱伝達向上の効果がさらに期待できる。
【００４５】
また、各板状突部２３〜２５は、電池セル拘束用のリブとして機能するとともに、放熱用のフィン部材として機能し得る。このため、その板厚を可能な限り薄くすることにより、流体通路１０の断面積の拡大が可能になることに加え、各板状突部２３〜２５の放熱量が増加して冷却性能の向上が図れる。
【００４６】
また、各板状突部２３〜２５は、電池セル２，２Ａの外装ケースに一体形成される形態とした場合には、部品点数の低減及び生産コストの低減が図れる。
【００４７】
（第２実施形態）
第２実施形態では、第１実施形態に対して他の形態である電池セル３を積層して一体化してなる電池パック１Ａについて図３及び図４を参照して説明する。第１実施形態の電池パック１と異なる構成、作用効果についてのみ、以下に述べる。図３は、第２実施形態の電池パック１Ａにおける電池セル３の積層構造を説明するために、隣接する２個の電池セル３を電極端子の突出側から見たときの平面図である。図４は図３の電池セル３をＩＶ方向に見たときの正面図である。なお、図３は、隣接する電池セル３の各構造を容易に理解するために、あえて隣接する電池セル３同士を拘束せず、両者を離した状態を示している。なお、正極端子３１は第１実施形態の正極端子２１に、負極端子３２は第１実施形態の負極端子２２に、それぞれ対応する。
【００４８】
図３及び図４に示すように、電池セルの側面３ａには、冷却流体の流れ方向Ｆに直交する方向Ｙに並ぶ複数の列のうち、３つの列をなす板状突部３３１，３３２，３３３から構成される第１の列群３３が設けられている。つまり、第１の列群３３は、方向Ｙに並ぶ板状突部３３１の列、板状突部３３２の列、及び板状突部３３３の列が集まって構成される列群である。複数の第１の列群３３は、電池セルの側面３ａにおいて、冷却流体の流れ方向Ｆに直交する方向Ｙに所定の群間隔（本実施形態では寸法４ＰＹ）をあけて並んでいる。各第１の列群３３は、電池セルの側面３ａにおいてオフセット状に配列されている。
【００４９】
一方、電池セルの側面３ｂには、冷却流体の流れ方向Ｆに直交する方向Ｙに並ぶ複数の列のうち、３つの列をなす板状突部３４１，３４２，３４３から構成される第２の列群３４が設けられている。つまり、第２の列群３４は、方向Ｙに並ぶ板状突部３４１の列、板状突部３４２の列、及び板状突部３４３の列が集まって構成される列群である。複数の第２の列群３４は、電池セルの側面３ｂにおいて、冷却流体の流れ方向Ｆに直交する方向Ｙに所定の群間隔（本実施形態では寸法４ＰＹ）をあけて並んでいる。各第２の列群３４は、電池セルの側面３ｂにおいてオフセット状に配列されている。図４に図示するように、第２の列群３４は、電池セルの側面３ｂにおいて、第１の列群３３間に対応する位置、すなわち板状突部が存在していない領域に対応する位置に配置されている。換言すれば、板状突部３４１、板状突部３４２及び板状突部３４３の位置は、１８０度左右に反転させた板状突部３３１、板状突部３３２、板状突部３３３に対応する。
【００５０】
このような構成により、複数の電池セル３が積層組み立てされると、第１の列群３３を構成する各板状突部３３１，３３２，３３３のそれぞれは、隣接する電池セルの側面３ａに当接して、対向する電池セルの側面３ａ間に流体通路１０を形成する。同様に、第２の列群３４を構成する各板状突部３４１，３４２，３４３のそれぞれは、隣接する電池セルの側面３ｂに当接して、対向する電池セルの側面３ｂ間に流体通路１０を形成する。したがって、電池セルの側面３ａ間には、複数の板状突部３３１，３３２，３３３によって、冷却流体の流れ方向Ｙに蛇行する流体通路１０が形成され、電池セルの側面３ｂ間には、複数の板状突部３４１，３４２，３４３によって、冷却流体の流れ方向Ｙに蛇行する流体通路１０が形成されるのである。
【００５１】
このように、各板状突部３３１〜３３３，３４１〜３４３は、拘束装置により積層方向Ｘの拘束力が作用した場合に隣接する電池セルの側面３ａ，３ｂに当接するように配置されており、隣接する電池セル３からの作用力を受ける。したがって、複数の板状突部３３１〜３３３，３４１〜３４３は、各電池セル３に作用する拘束力に対して耐えうる拘束強度を発揮する機能を有するとともに、流体通路１０を流通する冷却流体に接触することにより電池セル３の伝熱面積を拡大する部分であり、電池セル３の熱を冷却流体へ放出するための伝熱経路として機能する。
【００５２】
また、電池セル３の外装ケースと各板状突部３３１〜３３３，３４１〜３４３とが導電性材料で形成されている場合には、互いに当接し合う板状突部と外装ケースのうちの少なくとも一方における接触部位には、絶縁性物質が被覆されていることが好ましい。当該部位における絶縁性物質の被覆は、蒸着、コーティング、一体成形等によって形成することができる。このような構成によれば、隣接する電池セル３間の接触する部位同士が絶縁性物質の被覆部分を介して接触するようになるため、電池セル間の電気絶縁性が確保され、電池性能の発揮及び電気的安全性の確保を図ることができる。また、隣接する電池セル間の電位差により、導電性材料部分が腐食する事態を抑制し得る。
【００５３】
本実施形態の電池パック１Ａがもたらす作用効果について述べる。電池パック１Ａを構成する各電池セル３は、流れ方向Ｆに直交する方向Ｙに並ぶ複数の列のうち、所定数の列（例えば３列）をなす板状突部からなる第１の列群３３を電池セルの一方の側面３ａに有し、当該流れ方向Ｆに直交する方向Ｙに並ぶ複数の列のうち、所定数の列（例えば３列）をなす板状突部からなる第２の列群３４を電池セル３の他方の側面３ｂに有する。複数の第１の列群３３は、電池セルの側面３ａに方向Ｙに所定の群間隔（例えば寸法４ＰＹ）をあけて設けられており、第２の列群３４は、電池セルの側面３ｂに方向Ｙに所定の群間隔（例えば寸法４ＰＹ）をあけて設けられている。複数の第２の列群３４は、電池セルの側面３ｂにおいて、方向Ｙに設定した所定の群間隔（例えば寸法４ＰＹ）に相当する位置であって、第１の列群３３間に対応する位置に配置されている。
【００５４】
この構成によれば、複数の電池セル３を積層方向Ｘに積み重ねて組み合わせたときに、電池セルの一方の側面３ａにおける第１の列群３３間の領域に対向する電池セル３の第１の列群３３が当接し、電池セルの他方の側面３ｂにおける第２の列群３４間の領域に対向する電池セル３の第２の列群３４が当接するようになる。このような第１の列群及び第２の列群の配置により、各電池セル３における板状突部の位置が高精度で製作されていない場合であっても、各板状突部による冷却性能及び拘束力の確保が図れ、所望の機能を発揮し得る電池パック１Ａを提供できる。
【００５５】
また、対向する電池セル間の流体通路１０には、各電池セル３から突出する複数のそれぞれ所定の群間隔で並ぶ第１の列群３３及び第２の列群３４が隣接する電池セル３の外装ケースに当接するため、対向する電池セル３における所定の位置関係がずれた状態で積層された場合であっても、各電池セル３に対して拘束力を安定的に加えることができ、各電池セル３を拘束する効果を確実に発揮させることができる。
【００５６】
また、第１の列群３３及び第２の列群３４が形成する板状突部の列数は３列であることにより、対向する電池が無い、端部の電池セルの側面においても冷却密度と拘束圧力の両面において、比較的分布の少ない、優れた性能を実現できる。
【００５７】
（第３実施形態）
第３実施形態では、第１実施形態に対して他の形態である電池セル４を積層して一体化してなる電池パック１Ｂについて図５及び図６を参照して説明する。第１実施形態の電池パック１と異なる構成、作用効果についてのみ、以下に述べる。図５は、第３実施形態の電池パック１Ｂにおける電池セル４の積層構造を説明するために、隣接する２個の電池セル４を電極端子の突出側から見たときの平面図である。図６は図５の電池セル４をＶＩ方向に見たときの正面図である。なお、正極端子４１は第１実施形態の正極端子２１に、負極端子４２は第１実施形態の負極端子２２に、それぞれ対応する。
【００５８】
図５及び図６に示すように、電池セル４に設けられる複数個の突部は、電池セルの一方の側面４ａにそれぞれ所定個数設けられた板状突部４３１、拡大突部４３２及び板状突部４３３と、電池セルの他方の側面４ｂにそれぞれ所定個数設けられた板状突部４４１、拡大突部４４２及び板状突部４４３と、である。第１の列群４３は、板状突部４３１、拡大突部４３２及び板状突部４３３で構成され、第２の列群４４は、板状突部４４１、拡大突部４４２及び板状突部４４３で構成されている。板状突部４３１、拡大突部４３２及び板状突部４３３の位置は、それぞれ第１実施形態の板状突部２３、板状突部２４、板状突部２５に対応する。板状突部４４１、拡大突部４４２及び板状突部４４３の位置は、１８０度左右に反転させた板状突部４３１、拡大突部４３２、板状突部４３３に対応する。
【００５９】
図５に示すように、第１の列群４３及び第２の列群４４のそれぞれを構成する、冷却流体の流れ方向Ｆに直交する方向Ｙに並ぶ複数の列のうち、少なくとも１列（例えば拡大突部４３２及び拡大突部４４２）は、隣接する電池セル４側と当接し合って流体通路１０を形成するように構成されている。当該少なくとも１列を構成する拡大突部４３２及び拡大突部４４２は、隣接する電池セル側と当接しない残余の板状突部４３１，４３３，４４１，４４３よりも板厚が厚くなっている。
【００６０】
拡大突部４３２は、方向Ｆ及び方向Ｙのそれぞれについて板状突部４３１と板状突部４３３の間に位置しており、複数の電池セル４が積層されて電池パック１Ｂが形成された場合に、拡大突部４３２同士のみが当該隣接する電池セル４間で当接し合って、電池セルの側面４ａ間の流体通路１０を所定の形状に形成することになる。また、拡大突部４４２は、方向Ｆ及び方向Ｙのそれぞれについて板状突部４４１と板状突部４４３の間に位置しており、複数の電池セル４が積層されて電池パック１Ｂが形成された場合に、拡大突部４４２同士のみが当該隣接する電池セル４間で当接し合って、電池セルの側面４ｂ間の流体通路１０を所定の形状に形成することになる。すなわち、各拡大突部４３２は、隣接する電池セル４に設けられた拡大突部４３２に当接する位置に対応するように電池セルの側面４ａに形成され、各拡大突部４４２は、隣接する電池セル４に設けられた拡大突部４４２に当接する位置に対応するように電池セルの側面４ｂに形成されている。
【００６１】
これにより、隣接する電池セル４間における拡大突部４３２同士及び拡大突部４４２同士は、互いの頂面が当接し合う位置関係にある。各拡大突部４３２，４４２は、拘束装置により積層方向Ｘの拘束力が作用した場合に隣接する電池セル４側の拡大突部４３２，４４２からの作用力を受ける。複数の拡大突部４３２，４４２は、各電池セル４に作用する拘束力に対して耐えうる拘束強度を発揮する機能を有し、また、流体通路１０を流通する冷却流体に接触することにより電池セル４の伝熱面積を拡大する部分であり、電池セル４の熱を冷却流体へ放出するための伝熱経路としても機能し得る。
【００６２】
また、板状突部４３１、拡大突部４３２、板状突部４３３は、電池セルの側面４ａにおいてオフセット状に配列され、板状突部４４１、拡大突部４４２、板状突部４４３は、電池セルの側面４ｂにおいてオフセット状に配列されるのである。
【００６３】
また、電池セル４の外装ケースと互いに当接し合う拡大突部４３２、４４２が導電性材料で形成されている場合には、互いに当接し合う拡大突部４３２、４４２の夫々において、少なくとも一方の接触部位には、絶縁性物質が被覆されていることが好ましい。当該部位における絶縁性物質の被覆は、蒸着、コーティング、一体成形等によって形成することができる。このような構成によれば、隣接する電池セル４間で接触する部位同士が絶縁性物質の被覆部分を介して接触するようになるため、電池セル４間の電気絶縁性が確保され、電池性能の発揮及び電気的安全性の確保を図ることができる。また、隣接する電池セル４間の電位差により、導電性材料部分が腐食する事態を抑制し得る。
【００６４】
本実施形態の電池パック１Ｂがもたらす作用効果について述べる。電池パック１Ｂによれば、冷却流体の流れ方向Ｆに直交する方向Ｙに並ぶ複数の列（第１の列群４３及び第２の列群４４）のうち、少なくとも１列は、隣接する電池セル４側と当接し合って流体通路１０を形成するように構成されている。当該少なくとも１列を構成する拡大突部４３２及び拡大突部４４２は、隣接する電池セル側と当接しない残余の板状突部４３１，４３３，４４１，４４３よりも板厚が厚くなっている。
【００６５】
この構成によれば、各板状突部よりも大きな厚みを有する複数の拡大突部４３２，４４２が電池セルの側面４ａ，４ｂに必要な数だけ分散して配置されるため、電池セル４に必要な拘束を加える機能を安定的に果たすことができる。さらに拡大突部４３２，４４２が拘束力確保を担うため、複数の板状突部４３１，４３３，４４１，４４３については冷却性能を十分発揮できる範囲で可能な限り薄くできるため、流体通路の断面積をほとんど小さくすることなく、伝熱面積を拡大することができるので、より少ない冷却媒体の流量で、より小さな流体機器の動力で、またより低い騒音で、必要な冷却性能を発揮することができる。
【００６６】
（第４実施形態）
第４実施形態では、第１実施形態に対して他の形態である電池セル５を積層して一体化してなる電池パック１Ｃについて図７及び図８を参照して説明する。第１実施形態の電池パック１と異なる構成、作用効果についてのみ、以下に述べる。図７は、第４実施形態の電池パック１Ｃにおける電池セル５の積層構造を説明するために、隣接する２個の電池セル５を電極端子の突出側から見たときの平面図である。図８は図７の電池セル５をＶＩＩＩ方向に見たときの正面図である。なお、正極端子５１は第１実施形態の正極端子２１に、負極端子５２は第１実施形態の負極端子２２に、それぞれ対応する。
【００６７】
図７及び図８に示すように、電池セル５の積層構造は、第１実施形態に示す電池セル２の積層構造に対して、拘束装置により積層方向Ｘの拘束力が作用した場合に、隣合う電池セル５間における板状突部５３，５４，５５同士及び板状突部５７，５８，５９同士は、互いの頂面が対向する位置関係にあるのではなく、隣接する一方の電池セル５の各板状突部が他方の電池セル５の各板状突部に対して方向Ｙにずれる位置関係にある点で相違する。さらに、冷却流体の流れ方向Ｆに延びるレール形状であり、隣接する電池セル間で互いに当接し合う拡大突条部５０，５６を電池セルの側面５ａ，５ｂに備える点で相違する。このため板状突部５３〜５５または板状突部５７〜５９の高さが拡大突条部５０または拡大突条部５６より仮に高くても、対向する板状突部５３〜５５同士または板状突部５７〜５９同士が干渉して変形することを防止できる。
【００６８】
拡大突条部５０または拡大突条部５６は、冷却流体の流れ方向Ｆに電池セルの側面５ａまたは側面５ｂの全域にわたっている。複数の拡大突条部５０または拡大突条部５６は、冷却流体の流れ方向Ｆと直交する方向Ｙに間隔をあけて設けられている。そして、拘束装置によって各電池セル５に積層方向Ｘの拘束力が作用した場合には、複数の拡大突条部５０または拡大突条部５６は、隣接する電池セル側の拡大突条部と接触して隣接する電池セル５からの作用力を受ける。さらに各拡大突条部５０及び各拡大突条部５６は、複数の板状突部の並ぶ方向Ｙについての幅寸法が当該板状突部の厚み寸法よりも大きく形成されている。すなわち、拡大突条部５０及び拡大突条部５６は、薄板状の板状突部５３〜５５及び板状突部５７〜５９に比べて板厚が大きいため、大きな強度を有し、積層方向Ｘに作用する力に対して変形しにくい強度を備えている。
【００６９】
拡大突条部５０及び拡大突条部５６は、図７及び図８に図示するように、複数の板状突部の並ぶ方向Ｙに所定間隔をあけて複数列（本実施形態では６列）並んで配置されている。このように間隔をあけて設けられた拡大突条部５０間には、方向Ｆに徐々に位置をずらした複数列の板状突部５３〜５５（本実施形態では４列）が並んで配置されている。すなわち、拡大突条部５０の列数は、方向Ｙ方に列をなす板状突部５３〜５５の列数よりも少なく、ゆえに電池セルの側面５ａにおける単位面積当たりの拡大突条部５０の列数は、当該単位面積当たりの板状突部５３〜５５の列数よりも少ない。同様に、拡大突条部５６間には、方向Ｆに徐々に位置をずらした複数列の板状突部５７〜５９（本実施形態では４列）が並んで配置されている。すなわち、拡大突条部５６の列数は、方向Ｙ方に列をなす板状突部５７〜５９の列数よりも少なく、ゆえに電池セルの側面５ａにおける単位面積当たりの拡大突条部５６の列数は、当該単位面積当たりの板状突部５７〜５９の列数よりも少ない。
【００７０】
また、複数の拡大突条部５０及び拡大突条部５６は、方向Ｙの厚みが大きく形成されているため、隣接する電池セル５に設けられた複数の拡大突条部と接触したときに拘束力による圧縮方向の力を受ける強度を有する機能を発揮する。さらに拡大突条部５０間及び拡大突条部５６間に配置される複数の板状突部５３〜５５及び板状突部５７〜５９は、隣接する電池セル５との間で冷却流体の通路の中で伝熱面積を拡大する機能を有し、放熱性能を向上する機能を発揮する。
【００７１】
また、拡大突条部５０及び板状突部５３〜５５と拡大突条部５６及び板状突部５７〜５９は、冷却流体の流れ方向Ｆと直交する方向Ｙについて電池セルの側面５ａ全域にわたって均等に配置されている。なお、隣接する電池セル５間における板状突部同士は接触する位置関係でもよいし、離間する位置関係であってもよい。
【００７２】
拡大突条部５０及び板状突部５３〜５５と拡大突条部５６及び板状突部５７〜５９は、電池セル５の外装ケースに一体に形成されている形態であってもよい。この場合、例えば外装ケースが金属（アルミニウム）製のケースである場合に、各部は当該金属を削り出し加工することにより当該外装ケースと一体に形成することができる。
【００７３】
また、拡大突条部５０及び拡大突条部５６は、電池セル５の外装ケースに一体に形成されている突起であり、板状突部５３〜５５と板状突部５７〜５９は電池セル５とはそれぞれ別部品である別個の金属製のプレート部材に形成される構成でもよい。この金属製の各プレート部材には、プレス加工等により、複数の板状突部５３〜５５または板状突部５７〜５９と、拡大突条部５０または拡大突条部５６が通る細長い矩形状の穴部と、が形成されている。すなわち、当該各プレート部材は、複数の拡大突条部５０または拡大突条部５６のすべてが挿通可能な穴部を有する金属製のフィン付きプレートである。
【００７４】
別個のプレート部材は積層方向Ｘに直交する電池セルの側面５ａに例えば一体成形により設けられる。拡大突条部５０及び拡大突条部５６が一体に形成された外装ケースは、例えば、絶縁性を有するあらゆる樹脂で形成され、ポリプロピレン、ポリエチレン、ポリスチレン、塩化ビニル、フッ素系樹脂、ＰＢＴ、ポリアミド、ポリアミドイミド（ＰＡＩ樹脂）、ＡＢＳ樹脂（アクリロニトリル、ブタジエン、スチレンの共重合合成樹脂）、ポリアセタール、ポリカーボネート、ポリブチレンテレフタレート、ポリエチレンテレフタレート、ポリフェニレンスルファイド、フェノール、エポキシ、アクリル等の樹脂で形成することができる。
【００７５】
また他の形態では、複数の板状突部５３〜５５または板状突部５７〜５９は電池セル５の外装ケースに形成したフィンとし、拡大突条部５０または拡大突条部５６が電池セル５とは別個のプレート部材に形成されるように構成してもよい。また他の形態では、拡大突条部と板状突部の両方を同一の部材において形成するようにしてもよい。また、当該同一の部材は、電池セル５とは別個のプレート部材であってもよい。
【００７６】
また、互いに当接し合う拡大突条部５０，６０が導電性材料で形成されている場合には、互いに当接し合う拡大突条部５０，６０の夫々において、少なくとも一方の接触部位には、絶縁性物質が被覆されていることが好ましい。当該部位における絶縁性物質の被覆は、蒸着、コーティング、一体成形等によって形成することができる。このような構成によれば、隣接する電池セル５間で接触する部位同士が絶縁性物質の被覆部分を介して接触するようになるため、電池セル５間の電気絶縁性が確保され、電池性能の発揮及び電気的安全性の確保を図ることができる。また、隣接する電池セル５間の電位差により、導電性材料部分が腐食する事態を抑制し得る。
【００７７】
本実施形態の電池パック１Ｃがもたらす作用効果について述べる。電池パック１Ｃによれば、電池セルの側面２ａ，２ｂには、当該流れ方向Ｆに直交する方向Ｙに複数の列を形成するように間隔をあけて突出し、隣接する電池セル５側と接触して電池セル５側からの作用力を受ける複数の拡大突条部５０，５６が設けられている。間隔をあけて設けられた拡大突条部５０間または拡大突条部５６間には、複数個の板状突部５３〜５５または複数個の板状突部５７〜５９が並んで配置されている。各拡大突条部５０，５６は、当該流れ方向Ｆに直交する方向Ｙについての外形寸法が板状突部５３〜５５，５７〜５９の板厚寸法よりも大きく形成されている。このような構成によれば、必要な厚み寸法を有する複数の拡大突条部５０，５６が電池セルの側面５ａ，５ｂに必要間隔で分散して配置されているため、電池セル５に必要な拘束を加える機能を安定的に発揮することができる。
【符号の説明】
【００７８】
１，１Ａ，１Ｂ，１Ｃ…電池パック
２，２Ａ，３，４，５…電池セル
２ａ，２ｂ，３ａ，３ｂ，４ａ，４ｂ，５ａ，５ｂ…電池セルの側面
１０…流体通路
２３，２４，２５…板状突部
３３，４３…第１の列群
３４，４４…第２の列群
３３１，３３２，３３３，３４１，３４２，３４３…板状突部
４３１，４３３，４４１，４４３…板状突部（複数の列）
４３２，４４２…拡大突部（少なくとも１列）
５０，５６…拡大突条部（拡大突部）
５３，５４，５５，５７，５８，５９…板状突部
Ｆ…冷却流体の流れ方向
Ｘ…積層方向
Ｙ…流れ方向Ｆに直交する方向
【図１】
2012015071.tif 000003
【図２】
2012015071.tif 000004
【図３】
2012015071.tif 000005
【図４】
2012015071.tif 000006
【図５】
2012015071.tif 000007
【図６】
2012015071.tif 000008
【図７】
2012015071.tif 000009
【図８】
2012015071.tif 000010